(57)【要約】【課題】複数の転送先から利用者が希望する転送先を容易に選択する。【解決手段】制御部は、親機を示す親機画像３０２と、子機１を示す第１子機画像３０４と、子機２を示す第２子機画像３０６と、子機３を示す第３子機画像３０８と、操作部において受け付けた利用者の操作に応じて移動可能なポインタ画像３００とを画面に表示させて、電話機を示す複数の画像のうちのいずれか一つの画像の方向にポインタ画像３００を移動させる操作を操作部が受け付けた場合に、一方の画像に対応する電話機に対して転送処理を実行する。【選択図】図４
2014023024.tif 000002
【特許請求の範囲】
【請求項１】
親機と子機とを含む固定電話機との通信が可能な携帯電話機であって、
利用者の操作を受け付ける操作部と、
画面を有する表示部と、
前記親機を示す第１画像と、前記子機を示す第２画像と、前記操作部において受け付けた前記利用者の操作に応じて移動可能な第３画像とを前記画面に表示させる制御部とを含み、
前記制御部は、前記第１画像および前記第２画像のうちのいずれか一方の画像の方向に前記第３画像を移動させる操作を前記操作部が受け付けた場合に、前記一方の画像に対応する電話機に対して転送処理を実行する、携帯電話機。
【請求項２】
前記制御部は、前記携帯電話機の回線を用いた通話中である場合には、前記一方の画像の方向に前記第３画像を移動させる操作を前記操作部が受け付けたときに、前記一方の画像に対応する電話機に対して通話を転送する処理を前記転送処理として実行する、請求項１に記載の携帯電話機。
【請求項３】
前記制御部は、前記携帯電話機の回線を用いた通話中に、前記利用者の要求に応じて、前記第１画像、前記第２画像および前記第３画像を前記画面に表示させる、請求項１に記載の携帯電話機。
【請求項４】
前記制御部は、着信応答による前記携帯電話機の回線を用いた通話が終了した場合には、前記一方の画像の方向に前記第３画像を移動させる操作を前記操作部が受け付けたときに、前記一方の画像に対応する電話機に対して通話相手の電話番号を転送する処理を前記転送処理として実行する、請求項１に記載の携帯電話機。
【請求項５】
前記第３画像は、前記通話相手の前記電話番号を示し、
前記制御部は、前記通話が終了した場合に、前記第１画像、前記第２画像および前記第３画像を前記画面に表示させる、請求項４に記載の携帯電話機。
【請求項６】
前記画面は、矩形形状の画面であって、
前記第１画像および前記第２画像の各々は、前記画面の４辺のうちのいずれかの１つに隣接するように配置され、
前記第３画像は、前記画面の中心部分に配置される、請求項１〜５のいずれかに記載の携帯電話機。
【請求項７】
親機と子機とを含む固定電話機との通信が可能な携帯電話機の制御方法であって、前記携帯電話機は、利用者の操作を受け付ける操作部と、画面を有する表示部と、前記携帯電話機を制御する制御部とを含み、
前記制御方法は、
前記制御部が前記親機を示す第１画像と、前記子機を示す第２画像と、前記操作部において受け付けた前記利用者の操作に応じて移動可能な第３画像とを前記画面に表示させるステップと、
前記第１画像および前記第２画像のうちのいずれか一方の画像の方向に前記第３画像を移動させる操作を前記操作部が受け付けた場合に、前記制御部が前記一方の画像に対応する電話機に対して転送処理を実行するステップとを含む、携帯電話機の制御方法。
【請求項８】
親機と子機とを含む固定電話機との通信が可能な携帯電話機の制御プログラムであって、前記携帯電話機は、利用者の操作を受け付ける操作部と、画面を有する表示部と、前記携帯電話機を制御するコンピュータとを含み、
前記制御プログラムは、前記コンピュータに、
前記親機を示す第１画像と、前記子機を示す第２画像と、前記操作部において受け付けた前記利用者の操作に応じて移動可能な第３画像とを前記画面に表示させるステップと、
前記第１画像および前記第２画像のうちのいずれか一方の画像の方向に前記第３画像を移動させる操作を前記操作部が受け付けた場合に、前記一方の画像に対応する電話機に対して転送処理を実行するステップとを実行させる、携帯電話機の制御プログラム。
【請求項９】
請求項８に記載の携帯電話機の制御プログラムを記録した記録媒体。
【発明の詳細な説明】
【技術分野】
【０００１】
本発明は、携帯電話機の回線を用いた通話中または通話終了後に固定電話機に通話や着信番号を転送する技術に関する。
【背景技術】
【０００２】
従来、携帯電話機同士、固定電話機同士あるいは携帯電話機と固定電話機との間で通話やデータを転送する技術が公知である。たとえば、特開２０１０−２７８８５７号公報（特許文献１）には、携帯電話機間で通話を転送する技術が開示される。また、特開２００６−０９３９０１号公報には、電話機に設けられた操作板に入力されたジェスチャに対応する内線番号に通話を転送する技術が開示される。
【先行技術文献】
【特許文献】
【０００３】
【特許文献１】特開２０１０−２７８８５７号公報
【特許文献２】特開２００６−０９３９０１号公報
【発明の概要】
【発明が解決しようとする課題】
【０００４】
しかしながら、特に携帯電話機からの転送先が親機と複数の子機とを有する固定電話機である場合には、利用者は複数の転送先から容易に希望する転送先を選択できることが望ましい。上述した公報に開示された電話機においては、携帯電話機からこのような複数の転送先が選択可能な場合については考慮されていない。
【０００５】
本発明は、上述した課題を解決するためになされたものであって、その目的は、複数の転送先から利用者が希望する転送先を容易に選択できる携帯電話機、携帯電話機の制御方法、携帯電話機の制御プログラムおよびその制御プログラムを記録した記録媒体を提供することである。
【課題を解決するための手段】
【０００６】
この発明のある局面に係る携帯電話機は、親機と子機とを含む固定電話機との通信が可能な携帯電話機である。この携帯電話機は、利用者の操作を受け付ける操作部と、画面を有する表示部と、親機を示す第１画像と、子機を示す第２画像と、操作部において受け付けた利用者の操作に応じて移動可能な第３画像とを画面に表示させる制御部とを含む。制御部は、第１画像および第２画像のうちのいずれか一方の画像の方向に第３画像を移動させる操作を操作部が受け付けた場合に、一方の画像に対応する電話機に対して転送処理を実行する。
【０００７】
好ましくは、制御部は、携帯電話機の回線を用いた通話中である場合には、一方の画像の方向に第３画像を移動させる操作を操作部が受け付けたときに、一方の画像に対応する電話機に対して通話を転送する処理を転送処理として実行する。
【０００８】
さらに好ましくは、制御部は、携帯電話機の回線を用いた通話中に、利用者の要求に応じて、第１画像、第２画像および第３画像を画面に表示させる。
【０００９】
さらに好ましくは、制御部は、着信応答による携帯電話機の回線を用いた通話が終了した場合には、一方の画像の方向に第３画像を移動させる操作を操作部が受け付けたときに、一方の画像に対応する電話機に対して通話相手の電話番号を転送する処理を転送処理として実行する。
【００１０】
さらに好ましくは、第３画像は、通話相手の前記電話番号を示す。制御部は、通話が終了した場合に、第１画像、第２画像および第３画像を画面に表示させる。
【００１１】
さらに好ましくは、画面は、矩形形状の画面である。第１画像および第２画像の各々は、画面の４辺のうちのいずれかの１つに隣接するように配置される。第３画像は、画面の中心部分に配置される。
【００１２】
この発明の他の局面に係る携帯電話機の制御方法は、親機と子機とを含む固定電話機との通信が可能な携帯電話機の制御方法である。携帯電話機は、利用者の操作を受け付ける操作部と、画面を有する表示部と、携帯電話機を制御する制御部とを含む。この制御方法は、制御部が親機を示す第１画像と、子機を示す第２画像と、操作部において受け付けた利用者の操作に応じて移動可能な第３画像とを画面に表示させるステップと、第１画像および第２画像のうちのいずれか一方の画像の方向に第３画像を移動させる操作を操作部が受け付けた場合に、制御部が一方の画像に対応する電話機に対して転送処理を実行するステップとを含む。
【００１３】
この発明のさらに他の局面に係る携帯電話機の制御プログラムは、親機と子機とを含む固定電話機との通信が可能な携帯電話機の制御プログラムである。携帯電話機は、利用者の操作を受け付ける操作部と、画面を有する表示部と、携帯電話機を制御するコンピュータとを含む。制御プログラムは、コンピュータに、親機を示す第１画像と、子機を示す第２画像と、操作部において受け付けた利用者の操作に応じて移動可能な第３画像とを画面に表示させるステップと、第１画像および第２画像のうちのいずれか一方の画像の方向に第３画像を移動させる操作を操作部が受け付けた場合に、一方の画像に対応する電話機に対して転送処理を実行するステップとを実行させる。
【００１４】
この発明のさらに他の局面に係る記録媒体は、上記の携帯電話機の制御プログラムを記録した記録媒体である。
【発明の効果】
【００１５】
この発明によると、第１画像および第２画像のうちのいずれか一方の画像の方向に第３画像を移動させるという操作により一方の画像に対応する電話機に対して転送処理が実行される。これにより、利用者にとって直感的な操作により希望する転送先を選択することができる。したがって、複数の転送先から利用者が希望する転送先を容易に選択できる携帯電話機、携帯電話機の制御方法、携帯電話機の制御プログラムおよびその制御プログラムを記録した記録媒体を提供することができる。
【図面の簡単な説明】
【００１６】
【図１】通信システムの概略を説明するための図である。
【図２】本実施の形態に係る携帯電話機の概略ブロック図である。
【図３】本実施の形態に係る携帯電話機の制御部によって通話中に実行されるプログラムの制御構造を示すフローチャートである。
【図４】通話中における転送先の選択待機時の画面構成を示す図である。
【図５】転送先の選択操作時の画面構成を示す図である。
【図６】転送先の選択操作後の画面構成を示す図である。
【図７】転送先への転送不可時の画面構成を示す図である。
【図８】本実施の形態に係る携帯電話機の制御部によって通話終了後に実行されるプログラムの制御構造を示すフローチャートである。
【図９】通話終了後における転送先の選択待機時の画面構成を示す図である。
【発明を実施するための形態】
【００１７】
以下、図面を参照しつつ、本発明の実施の形態について説明する。以下の説明では、同一の部品には同一の符号が付されている。それらの名称および機能も同じである。したがってそれらについての詳細な説明は繰り返されない。
【００１８】
図１に本実施の形態における通信システム１の一例を示す。通信システム１は、携帯電話機２と、固定電話機３とを含む。
【００１９】
固定電話機３は、たとえば、親機１０と複数の子機２１〜２３とを含むコードレス電話である。親機１０は、外部のネットワーク（図示せず）と通信可能に接続されている。外部のネットワークとは、たとえば、ＰＳＴＮ（Public Switched Telephone Networks），ＷｉＦｉ（Wireless Fidelity），ＬＡＮ（Local Area Network）等により実現される。
【００２０】
親機１０は、無線通信によって各子機２１〜２３との間で所定の通信方式（たとえば、ＤＥＣＴ準拠方式あるいはｓＰＨＳ方式等）により通信可能に接続される。本実施の形態においては、子機の台数が３台である場合を一例として説明するが、特に３台に限定されるものではなく、たとえば、１台であってもよいし、２台あるいは４台以上の複数台であってもよい。子機２１〜２３は、充電器２１ａ〜２３ａにそれぞれ接続される。
【００２１】
親機１０および子機２１〜２３の各々は、特に詳細に図示しないが、たとえば、プログラムを実行するＣＰＵと、プログラムおよび電話帳等のデータを格納するメモリと、メモリに格納されている各種の情報を表示するディスプレイと、利用者からの各種の入力を受け付ける操作部と、音声等の音を出力するスピーカと、音声等の音を集音するマイクと、外部の機器（親機１０または子機２１〜２３のいずれか）とを通信可能に接続するための通信インターフェースと、マイクから入力されるアナログ信号をデジタル信号に変換して通信インターフェースに送信したり、通信インターフェースから受信されるデジタル信号をアナログ信号に変換してスピーカに出力したりするための音声信号処理回路と、アンテナと、バッテリとを含む。
【００２２】
親機１０または子機２１〜２３の各々に対して登録操作を行なうことにより、親機１０のメモリに記憶される登録情報が更新されて子機２１〜２３が親機１０との通信対象となる子機として登録される。親機１０のメモリに記憶される登録情報は、登録された子機の台数と、子機２１〜２３を特定するための情報とを含む。子機２１〜２３を特定するための情報とは、たとえば、子機２１〜２３の各々に付与された固有の文字列である。
【００２３】
そのため、子機２１〜２３のうちのいずれかの子機に対して通話相手の電話番号が入力されるなどの発信操作が行なわれた場合には、親機１０および外部のネットワークを経由して発信先の通信装置に対して通話のための接続が要求される。また、親機１０に対して発信操作が行なわれた場合には、外部のネットワークを経由して発信先の通信装置に対して接続が要求される。発信先の通信装置において応答操作が行なわれた場合には、操作が行なわれた子機または親機１０と発信先の通信装置とが接続され、通話相手との通話が可能になる。
【００２４】
あるいは、親機１０は、発信元の通話装置から外部のネットワークを経由して通話のための接続が要求される場合には、親機１０のスピーカから着信音を発生させるとともに子機２１〜２３に呼び出し信号を送信する。子機２１〜２３の各々は、親機１０から呼び出し信号を受信した場合に、子機２１〜２３の各々のスピーカから着信音を発生させる。子機２１〜２３のいずれかの子機において応答操作が行なわれた場合には、操作が行なわれた子機は、親機１０および外部のネットワークを経由して発信元の通信装置と接続され、通話相手との通話が可能になる。
【００２５】
あるいは、子機２１〜２３のうちのいずれかの子機（以下、発信子機と記載する）において、他の子機（以下、着信子機と記載する）を特定する情報（たとえば、内線番号）が入力されるなどの発信操作が行なわれた場合には、親機１０を経由して着信子機に対して通話のための接続が要求される。着信子機において応答操作が行なわれた場合には、発信子機と着信子機とは、親機１０を経由して接続され、通話が可能な状態になる。
【００２６】
携帯電話機２は、画面を有する表示部２０７と、受話部２０３と、送話部２０４とを含む。本実施の形態においては、表示部２０７は、たとえば、矩形形状の画面を有するものとして説明するが、特に画面は矩形形状であることに限定されるものではない。
【００２７】
なお、携帯電話機２は、後述する表示部と通話機能とを有する端末であれば、特に限定されるものではないが、たとえば、図１に示されるようなスマートフォン端末であってもよい。
【００２８】
携帯電話機２と親機１０とは、無線通信によって通信可能に接続されている。そのため、携帯電話機２と子機２１〜２３の各々とは、親機１０を経由して通信可能に接続される。本実施の形態において、携帯電話機２と親機１０とは、所定の通信規格に基づく近距離無線通信によって通信可能に接続されている。近距離無線通信は、たとえば、Ｂｌｕｅｔｏｏｔｈ（登録商標）等の通信規格に基づく通信を含む。
【００２９】
なお、本実施の形態において、携帯電話機２と固定電話機３との通信は、携帯電話機２と親機１０との通信によって実現されるものとして説明するが、特にこれに限定されるものではない。携帯電話機２は、たとえば、親機１０に代えてまたは加えて子機２１〜２３のいずれかと無線通信によって通信可能に接続されてもよい。
【００３０】
本実施の形態に係る携帯電話機２は、周辺の基地局９０を経由して外部のネットワーク９２に接続される。なお、ネットワーク９２は、親機１０が接続される外部のネットワークとも接続される。
【００３１】
携帯電話機２が基地局９０と通信可能な範囲内である場合には、携帯電話機２と基地局９０とは、所定の通信方式（たとえば、Ｗ−ＣＤＭＡあるいはＣＤＭＡ２０００等）により通信可能に接続される。
【００３２】
携帯電話機２に対して通話相手の電話番号が入力されるなどの発信操作が行なわれた場合には、ネットワーク９２を経由して発信先の通信装置に対して通話のための接続が要求される。発信先の通信装置において応答操作が行なわれた場合には、携帯電話機２と発信先の通信装置とが接続され、通話相手との通話が可能になる。
【００３３】
あるいは、携帯電話機２は、発信元の通話装置からネットワーク９２を経由して通話のための接続が要求される場合には、携帯電話機２のスピーカから着信音を発生させたり、バイブレータを作動させたりする。携帯電話機２において応答操作が行なわれた場合には、携帯電話機２は、ネットワーク９２を経由して発信元の通信装置と接続され、通話相手との通話が可能になる。
【００３４】
さらに、携帯電話機２において親機１０および子機２１〜２３のいずれかを特定する情報が入力されるなどの発信操作が行なわれた場合には、携帯電話機２は、入力された情報に基づいて電話機を特定し、特定された電話機との通話のための接続を親機１０に対して要求する。
【００３５】
親機１０は、携帯電話機２からの要求に基づいて特定された電話機に対して接続を要求する。特定された電話機が親機１０である場合、親機１０において応答操作が行なわれたときに携帯電話機２と親機１０とが接続され、通話が可能な状態になる。
【００３６】
また、特定された電話機が子機２１〜２３のいずれかの子機である場合には、親機１０は、当該子機に対して通話のための接続を要求する。当該子機において応答操作が行なわれた場合には、携帯電話機２と当該子機とが親機１０を経由して接続され、通話が可能な状態になる。
【００３７】
図２に本実施の形態に係る携帯電話機２の概略ブロック図が示される。図２に示すように、携帯電話機２は、第１無線部２０１と、第１アンテナ２０２と、受話部２０３と、送話部２０４と、スピーカ２０５と、音声処理部２０６と、表示部２０７と、操作部２０８と、第２アンテナ２０９と、第２無線部２１０と、バイブレータ２１１と、制御部２１２と、記憶部２１４と、距離センサ２１６とを含む。
【００３８】
第１無線部２０１は、第１アンテナ２０２を用いて親機１０と上述した近距離無線通信による通信を行なう。すなわち、第１無線部２０１は、制御部２１２からの制御信号に基づいて第１アンテナ２０２を経由して親機１０との間で音声信号や各種のデータを授受する。
【００３９】
第１無線部２０１は、たとえば、第１アンテナ２０２を経由して受信した音声信号を音声処理部２０６に送信したり、音声処理部２０６から受信する音声信号を第１アンテナ２０２を経由して親機１０に送信したりする。
【００４０】
第２無線部２１０は、第２アンテナ２０９を用いて基地局９０と上述した通信方式の無線通信を行なう。すなわち、第２無線部２１０は、制御部２１２からの制御信号に基づいて第２アンテナ２０９を経由して基地局９０との間で音声信号や各種のデータを授受する。
【００４１】
第２無線部２１０は、たとえば、第２アンテナ２０９を経由して基地局９０から、発信元の通信装置からの接続要求、通話相手の音声あるいは受信メール等のデータを含む信号を受信したり、基地局９０に対して発信先の通信装置との接続要求、利用者の音声や送信メール等のデータを含む信号を送信したりする。
【００４２】
第２無線部２１０は、基地局９０から第２アンテナ２０９を経由して受信した音声信号を音声処理部２０６に送信したり、音声処理部２０６から受信する音声信号を第２アンテナ２０９を経由して基地局９０に送信したりする。
【００４３】
音声処理部２０６は、制御部２１２の制御信号に基づいて、第１無線部２０１または第２無線部２１０から受信したデジタル信号をアナログ信号に変換して、受話部２０３またはスピーカ２０５に送信したり、送話部２０４に入力されたアナログ信号をデジタル信号に変換して第１無線部２０１または第２無線部２１０に送信したりする。また、音声処理部２０６は、スピーカ２０５に着信音を送信する。
【００４４】
受話部２０３は、音声処理部２０６から受信するアナログ信号を音声として出力する。送話部２０４は、音声等の音を集音するマイクであって、入力された利用者の音声等を含むアナログ信号を音声処理部２０６に送信する。スピーカ２０５は、音声処理部２０６から受信するアナログ信号を音声や着信音として出力する。バイブレータ２１１は、携帯電話機２の着信時等において、制御部２１２からの制御信号に基づいて作動する。
【００４５】
表示部２０７は、制御部２１２からの制御信号に基づいて記憶部２１４に格納されている各種情報（文字または図形等の画像）を画面に表示する。表示部２０７としては、たとえば、ＬＣＤ（Liquid  Crystal  Display）や有機ＥＬ（Organic  Electro-Luminescence）等が用いられる。
【００４６】
操作部２０８は、利用者からの各種の入力を受け付ける。操作部２０８は、利用者から、たとえば、内線番号や電話番号の入力、メールアドレスの入力、内線番号や電話番号の読み出し、メールアドレスの読み出し、メールの送信指示、着信応答の指示、発信指示あるいは転送指示を受け付ける。操作部２０８は、利用者から受け付けた操作内容に対応する信号を制御部２１２に送信する。
【００４７】
本実施の形態において、操作部２０８は、表示部２０７と一体的に構成されるタッチパネルを一例として説明するが、特にこれに限定されるものではなく、表示部２０７とは別体的に構成されるものであってもよい。
【００４８】
制御部２１２は、操作部２０８から受信した信号に基づく操作内容や、第１無線部２０１または第２無線部２１０からの接続要求を示す信号の受信に応じて、記憶部２１４に格納されている各種のプログラムを実行することによって、携帯電話機２、すなわち、第１無線部２０１、音声処理部２０６、表示部２０７、第２無線部２１０およびバイブレータ２１１を制御する。制御部２１２は、たとえば、ＣＰＵ（Central  Processing  Unit）を含むコンピュータである。
【００４９】
制御部２１２における処理は、ハードウェアあるいはＣＰＵにより実行されるソフトウェアによって実現される。このようなソフトウェアは、記憶部２１４に記憶される。また、ソフトウェアは、メモリカードその他の記憶媒体に格納されて、プログラムプロダクトとして流通していてもよい。あるいは、ソフトウェアは、いわゆるインターネットに接続されている情報提供事業者によってダウンロード可能なプログラムロダクトとして提供されてもよい。このようなソフトウェアは、ＩＣカードリーダライタその他の読み取り装置によりその記憶媒体から読み取られて、あるいは、ダウンロードされた後に、記憶部２１４に実行可能なプログラムの形式で格納されてもよい。
【００５０】
制御部２１２は、第２無線部２１０を経由して基地局９０から接続要求を示す信号を受信する場合には、表示部２０７にその旨を利用者に通知する着信通知動作と、スピーカ２０５において着信音を発生させる着信音発生動作と、バイブレータ２１１を用いて携帯電話機２を振動させる振動動作とのうちの少なくともいずれか一つの動作を行なう。
【００５１】
制御部２１２は、操作部２０８において応答操作が行なわれた場合に発信元の通信装置と通話を開始する処理を実行する。このとき、制御部２１２は、送話部２０４に入力された利用者の音声を示すアナログ信号をデジタル信号に変換して、変換されたデジタル信号が第２アンテナ２０９を経由して基地局９０に送信されるように音声処理部２０６および第２無線部２１０を制御する。
【００５２】
制御部２１２は、基地局９０から第２アンテナ２０９を経由して受信するデジタル信号をアナログ信号に変換して受話部２０３に送信するように音声処理部２０６および第２無線部２１０を制御する。
【００５３】
制御部２１２は、通話を保留状態にする操作が行なわれた場合には保留処理を実行する。保留処理は、たとえば、携帯電話機と通話相手の通信装置との接続状態を維持しつつ、音声信号の送受信を停止する処理をいう。なお、保留処理の実行時においては、保留音に対応する信号を第２無線部２１０および基地局９０を経由して通話相手の通信装置に送信してもよい。
【００５４】
記憶部２１４は、制御部２１２により実行される各種のプログラムや各種のデータを記憶する。具体的には、記憶部２１４は、たとえば、着信履歴、発信履歴、メールの送信履歴、メール受信履歴、電話帳、メールアドレス、送受信メール等のデータの他、ＯＳ（Operating System）やアプリケーションのプログラムを記憶する。
【００５５】
距離センサ２１６は、携帯電話機２の表示部２０７が設けられる面に設けられ、表示部２０７に対向する位置の測定対象物との距離を測定する。たとえば、利用者が携帯電話機２を用いて通話中である場合には、利用者の顔や頭あるいは耳が測定対象物となる。距離センサ２１６は、測定対象物との距離を示す信号を制御部２１２に送信する。
【００５６】
以上のような構成を有する通信システム１において、携帯電話機２の回線（すなわち、ネットワーク９２）を用いた通話や携帯電話機２で保持される各種の情報を親機１０と子機２１−２３とを含む固定電話機３に転送する場合には、複数の転送先の中から利用者が希望する転送先を容易に選択できることが望ましい。
【００５７】
そこで、本実施の形態においては、制御部２１２が、利用者の要求に応じて、親機１０を示す親機画像と、子機２１〜２３の各々を示す第１子機画像、第２子機画像および第３子機画像と、操作部２０８において受け付けた利用者の操作に応じて移動可能なポインタ画像とを表示部２０７の画面に表示し、親機画像、第１子機画像、第２子機画像および第３子機画像のうちのいずれか１つの画像（以下、選択画像とも記載する）の方向にポインタ画像を移動させる操作を操作部２０８が受け付けた場合に、選択画像に対応する電話機に対して転送処理を実行する点を特徴とする。
【００５８】
本実施の形態において、制御部２１２は、携帯電話機２の回線を用いた通話中である場合には、選択画像の方向にポインタ画像を移動させる操作を操作部２０８が受け付けたときに、選択画像に対応する電話機に対して通話を転送する処理を上記の転送処理として実行する。
【００５９】
また、制御部２１２は、着信応答による携帯電話機２の回線を用いた通話が終了した場合には、選択画像の方向にポインタ画像を移動させる操作を操作部２０８が受け付けたときに、選択画像に対応する電話機に対して通話相手の電話番号を転送する処理を上記の転送処理として実行する。
【００６０】
＜通話中の転送処理について＞
図３を参照して、本実施の形態に係る携帯電話機２の制御部２１２で実行される、通話中に固定電話機３に通話を転送するプログラムの制御構造について説明する。
【００６１】
ステップ（以下、ステップをＳと記載する）１００にて、制御部２１２は、通話中であるか否かを判定する。制御部２１２は、たとえば、利用者が接続要求に対して応答操作が行なわれた場合、あるいは、利用者の発信操作後に通話相手が応答した場合に、オン状態にされる通話フラグに基づいて通話中であるか否かを判定する。制御部２１２は、たとえば、通話フラグがオン状態であると通話中であると判定する。通話中であると判定された場合（Ｓ１００にてＹＥＳ）、処理はＳ１０２に移される。もしそうでない場合（Ｓ１０２にてＮＯ）、処理はＳ１００に戻される。
【００６２】
Ｓ１０２にて、制御部２１２は、携帯電話機２が利用者の耳から離されたか否かを判定する。制御部２１２は、たとえば、距離センサ２１６の検出結果に基づく測定対象物との距離がしきい値よりも大きい場合には、携帯電話機２が利用者の耳から離されたと判定してもよい。
【００６３】
なお、携帯電話機２が利用者の耳から離されたか否かは、距離センサ２１６の検出結果に基づいて判定されることに限定されるものではない。制御部２１２は、たとえば、通話中に受話部２０３に入力される利用者の音声の大きさが減少した場合や加速度センサ等を用いて携帯電話機２の所定量以上の移動が検出される場合に、携帯電話機２が利用者の耳から離されたと判定してもよい。
【００６４】
あるいは、携帯電話機２を用いた通話時に利用者の顔や頭や耳が接触する可能性が高い位置に物体との接触を検出する接触センサや照度を検出する照度センサを設け、通話時に接触センサによって接触が検出された状態から接触が検出されない状態に変化したり、あるいは、通話時に照度センサによって照度が低い状態から照度が高い状態に変化したりしたときに携帯電話機２が利用者の耳から離されたと判定してもよい。
【００６５】
携帯電話機２が利用者の耳から離されたと判定された場合（Ｓ１０２にてＹＥＳ）、処理はＳ１０４に移される。もしそうでない場合（Ｓ１０２にてＮＯ）、処理はＳ１００に戻される。
【００６６】
Ｓ１０４にて、制御部２１２は、保留処理を実行する。保留処理については上述したとおりであるため、その詳細な説明は繰り返さない。
【００６７】
Ｓ１０６にて、制御部２１２は、親機１０と通信可能な状態であるか否かを判定する。制御部２１２は、たとえば、親機１０との間で通信の可否を判定するための所定の情報を授受する場合に親機と通信可能な状態であると判定する。親機１０と通信可能な状態であると判定された場合（Ｓ１０６にてＹＥＳ）、処理はＳ１０８に移される。もしそうでない場合（Ｓ１０６にてＮＯ）、この処理はＳ１００に戻される。
【００６８】
Ｓ１０８にて、制御部２１２は、親機１０から子機２１〜２３の登録情報を取得する。登録情報は、上述したとおり、子機２１〜２３の台数と子機２１〜２３を特定するための情報とを含む。
【００６９】
Ｓ１１０にて、制御部２１２は、表示部２０７に固定電話機３の画像を表示する。固定電話機３の画像は、矩形形状の画面の４辺のうちのいずれか１つの辺に隣接するように配置される。
【００７０】
具体的には、制御部２１２は、図４に示すように、矩形形状の画面内に親機画像３０２と、子機２１を示す第１子機画像３０４と、子機２２を示す第２子機画像３０６と、子機２３を示す第３子機画像３０８と、操作部２０８において受け付けた利用者の操作に応じて移動可能なポインタ画像３００とを表示する。
【００７１】
本実施の形態において親機画像３０２は、「親機」の文字列と、当該文字を実線で四角に囲む図形とを有する。第１子機画像３０４は、「子機１」の文字列と、当該文字を実線で四角に囲む図形とを有する。第２子機画像３０６は、「子機２」の文字列と、当該文字を実線で四角に囲む図形とを有する。第３子機画像３０８は、「子機３」の文字列と、当該文字を実線で四角に囲む図形とを有する。ポインタ画像３００は、アイコンであって、たとえば、通話相手の写真や電話帳等において通話相手の電話番号に対応づけられた画像である。
【００７２】
親機画像３０２は、画面枠の右側の辺３１２の中央部分に隣接するように配置される。第１子機画像３０４は、画面枠の上側の辺３１４の中央部分に隣接するように配置される。第２子機画像３０６は、画面枠の左側の辺３１６の中央部分に隣接するように配置される。第３子機画像３０８は、画面枠の下側の辺３１８の中央部分に隣接するように配置される。ポインタ画像３００は、画面の中心部分に配置される。
【００７３】
Ｓ１１２にて、制御部２１２は、ポインタ画像３００に対してフリック操作が行なわれたか否かを判定する。フリック操作とは、操作部２０８であるタッチパネルに触れたペンや指を少しだけスライドさせる操作をいう。
【００７４】
制御部２１２は、たとえば、タッチパネルに指またはペンが接触した場合であって、かつ、接触したタッチパネル上の位置が画面に表示されたポインタ画像３００の領域内である場合に、指またはペンがタッチパネルに接触した状態で初期位置から予め定められた速度以上で移動した場合にフリック操作が行なわれたと判定する。
【００７５】
なお、本実施の形態においては、ポインタ画像３００に対してフリック操作が行なわれた否かを判定したが、特に、フリック操作に限定されるものではなく、少なくともポインタ画像が親機画像３０２、第１子機画像３０４、第２子機画像３０６および第３子機画像３０８のいずれの方向に移動させる操作が行なわれたかを判定できればよい。
【００７６】
制御部２１２は、たとえば、ポインタ画像３００に対してドラッグ操作が行なわれたか否かを判定してもよい。制御部２１２は、たとえば、タッチパネルに指またはペンが接触した場合であって、かつ、接触したタッチパネル上の位置が画面に表示されたポインタ画像３００の領域内である場合に、指またはペンがタッチパネルに接触した状態で初期位置から予め定められた距離以上移動した場合にドラッグ操作が行なわれたと判定してもよい。
【００７７】
ポインタ画像３００に対してフリック操作が行なわれたと判定された場合（Ｓ１１２にてＹＥＳ）、処理はＳ１１４に移される。もしそうでない場合（Ｓ１１２にてＮＯ）、処理はＳ１１２に戻される。
【００７８】
また、制御部２１２は、タッチパネルに接触した指またはペンの移動方向に沿ってポインタ画像３００を移動させる。移動量は、たとえば、フリック操作時の指またはペンの移動速度に応じて決定してもよいし、あるいは、所定量であってもよいし、ポインタ画像３００の外縁部分が画面枠、親機画像３０２、第１子機画像３０４、第２子機画像３０６および第３子機画像３０８のいずれかに到達するまでであってもよい。
【００７９】
Ｓ１１４にて、制御部２１２は、通話の転送先を特定する。具体的には、制御部２１２は、フリック操作が行なわれたときの指の移動方向を特定し、ポインタ画像３００から特定された移動方向にある画像が親機画像３０２、第１子機画像３０４、第２子機画像３０６および第３子機画像３０８のうちのいずれの画像であるか否かを特定する。制御部２１２は、特定された画像に対応する電話機を通話の転送先として特定する。
【００８０】
たとえば、図５に示すように、制御部２１２は、ポインタ画像３００に対するフリック操作時の指の移動方向が第１子機画像３０４への方向である場合には、子機２１を転送先として特定する。
【００８１】
さらに、制御部２１２は、第１子機画像３０４の実線枠内の文字の背景色を他の画像と異なる色に変更する。あるいは、制御部２１２は、実線枠内の文字の背景色が他の画像と異なる画像に変更してもよい。
【００８２】
本実施の形態において、制御部２１２は、ポインタ画像３００の移動方向によって転送先を特定するとして説明したが、たとえば、移動方向に加えてポインタ画像３００が親機画像３０２、第１子機画像３０４、第２子機画像３０６および第３子機画像３０８のうちのいずれかと重なる位置に移動した場合にポインタ画像３００と重なった画像に対応する電話機を転送先として特定してもよい。
【００８３】
たとえば、制御部２１２は、ポインタ画像３００に対するフリック操作によりポインタ画像３００が第１子機画像３０４に向けて移動し、ポインタ画像３００と第１子機画像３０４と重なる場合に、子機２１を転送先として特定してもよい。
【００８４】
Ｓ１１６にて、制御部２１２は、転送先として特定された電話機に対して通話を転送できるか否かを判定する。
【００８５】
制御部２１２は、たとえば、親機１０からの固定電話機３の使用状態についての情報に基づいて転送先として特定された電話機に対して通話を転送できるか否かを判定してもよい。
【００８６】
制御部２１２は、たとえば、子機２１が使用中である旨の情報を受信する場合には、通話を転送できないと判定し、親機１０から子機２１が待機状態である（使用中でない）旨の情報を受信する場合には、通話を転送できると判定する。
【００８７】
なお、固定電話機３の使用状態についての情報は、たとえば、子機２１〜２３の各々が使用中であるか否かを示す情報を含む。固定電話機３の使用状態についての情報は、Ｓ１０８にて子機２１〜２３の登録情報を受信する場合に親機１０から受信してもよいし、あるいは、図３に示すフローチャートの処理とは別に所定時間毎に親機１０から受信する処理を実行してもよい。
【００８８】
転送先として特定された電話機に対して通話を転送できると判定された場合（Ｓ１１６にてＹＥＳ）、処理はＳ１１８に移される。もしそうでない場合（Ｓ１１６にてＮＯ）、処理はＳ１２０に移される。
【００８９】
Ｓ１１８にて、制御部２１２は、転送処理を実行する。具体的には、制御部２１２は、転送先として特定された電話機についての情報と、通話を転送する旨の要求とを親機１０に対して送信する。
【００９０】
親機１０は、転送先として特定された電話機が親機１０である場合には、親機１０のスピーカから着信音を発生させる。親機１０は、転送先として特定された電話機が子機２１〜２３のいずれかの子機（以下、転送子機と記載する）である場合には、転送子機に対して呼び出し信号を送信する。転送子機は、親機１０から呼び出し信号を受信した場合に、転送子機のスピーカから着信音を発生させる。転送子機において応答操作が行なわれた場合には、親機１０は、携帯電話機２と転送子機とを接続し、接続された旨を示す信号を携帯電話機２に送信する。携帯電話機２は、転送子機と接続された旨を示す信号を受信する場合に、保留処理を停止し、通話を転送子機に転送する。そのため、転送子機は、親機１０、携帯電話機２、基地局９０およびネットワーク９２を経由して通話相手の通信装置と接続され、通話相手との通話が可能になる。
【００９１】
Ｓ１２０にて、制御部２１２は、転送処理がタイムアウトの状態であるか否かを判定する。具体的には、制御部２１２は、転送処理が開始されてから予め定められた時間が経過するまでに転送処理が完了しない場合に転送処理がタイムアウトの状態であると判定する。転送処理がタイムアウトの状態であると判定された場合（Ｓ１２０にてＹＥＳ）、処理はＳ１１０に戻される。予め定められた時間が経過するまでに転送処理が完了した場合（Ｓ１２０にてＮＯ）、処理はＳ１２２に移される。
【００９２】
Ｓ１２２にて、制御部２１２は、転送処理の完了を利用者に通知する。具体的には、制御部２１２は、たとえば、図６に示すように、表示部２０７の画面内のポインタ画像３００を消去するとともに、転送先の電話機を示す画像（図６においては、第１子機画像３０４を一例とする）の実線枠内の文字の背景色を他の画像や図４または図５で示される第１子機画像３０４と異なる色に変更する。あるいは、制御部２１２は、第１子機画像３０４の実線枠内の文字の背景色が他の画像や図４または図５で示される第１子機画像３０４と異なる画像に変更してもよい。
【００９３】
なお、制御部２１２は、たとえば、上記動作に代えてまたは加えて転送処理が完了した旨を表示したり、あるいは、スピーカ２０５から音声出力したりすることによって利用者に転送処理の完了を通知してもよい。あるいは、制御部２１２は、背景色を変更することに代えてまたは加えて文字の色を変更したり、あるいは、点滅表示にする等表示形態を変更したりすることによって転送処理の完了を利用者に通知してもよい。
【００９４】
Ｓ１２４にて、制御部２１２は、通知処理を実行する。具体的には、制御部２１２は、転送先として特定された電話機に対して転送要求がある旨を通知するための処理の実行を親機１０に対して要求する。
【００９５】
親機１０は、転送先として特定された電話機が親機１０である場合には、通話中の親機１０の受話部から通話相手の音声とともに転送要求がある旨を示す音を発生させる。
【００９６】
親機１０は、転送先として特定された電話機が子機２１〜２３のいずれかの子機である場合には、通話中の転送子機の受話部から通話相手の音声とともに転送要求がある旨を示す音を発生させるための転送要求信号を転送子機に送信する。
【００９７】
なお、携帯電話機２からの転送要求がある旨の通知は、受話部からの音の出力に限定されるものではなく、たとえば、ディスプレイに携帯電話機２から転送要求がある旨を表示することによって行なわれてもよい。
【００９８】
Ｓ１２６にて、制御部２１２は、転送先として特定された電話機に対して通話を転送できるか否かを判定する。
【００９９】
制御部２１２は、たとえば、固定電話機３の使用状態について情報を親機１０に要求し、親機１０から受信した当該情報に基づいて転送先として特定された電話機に対して通話を転送できるか否かを判定してもよい。
【０１００】
あるいは、制御部２１２は、所定時間毎に親機１０から受信する当該情報に基づいて転送先として特定された電話機に対して通話を転送できるか否かを判定してもよい。
【０１０１】
転送先として特定された電話機に対して通話を転送できると判定された場合（Ｓ１２６にてＹＥＳ）、処理はＳ１１８に移される。もしそうでない場合（Ｓ１２６にてＮＯ）、処理はＳ１２８に移される。
【０１０２】
Ｓ１２８にて、制御部２１２は、転送可否の判定処理がタイムアウトの状態であるか否かを判定する。具体的には、制御部２１２は、通知処理が実行されてから予め定められた時間が経過するまで転送ができない場合に転送可否の判定処理がタイムアウトの状態であると判定する。転送可否の判定処理がタイムアウトの状態であると判定された場合（Ｓ１２８にてＹＥＳ）、処理はＳ１１０に戻される。もしそうでない場合（Ｓ１２８にてＮＯ）、処理はＳ１２６に戻される。なお、Ｓ１２８の処理における予め定められた時間は、Ｓ１２０の処理における予め定められた時間と同じ時間であってもよいし、異なる時間であってもよいものとする。
【０１０３】
以上のような構造およびフローチャートに基づく本実施の形態に係る携帯電話機２の通話中において通話を固定電話機３側に転送する動作について説明する。
【０１０４】
利用者が携帯電話機２の回線を用いて通話している場合を想定する（Ｓ１００にてＹＥＳ）。また、携帯電話機２と親機１０とは通信可能に接続されており、かつ、親機１０と子機２１〜２３とは通信可能に接続されているものとする。
【０１０５】
利用者が子機２１への転送操作を行なうために携帯電話機２を耳から離して表示部２０７の画面に対向して当該画面を見る動作を行なう場合に（Ｓ１０２にてＹＥＳ）、保留処理が実行される（Ｓ１０４）。保留処理の実行により携帯電話機２と通話相手の通信装置との接続は維持した状態で通話相手との通話が遮断される。また、携帯電話機２から通話相手の通信装置に対して保留音を示す信号が基地局９０を経由して通話相手の通信装置に送信される。
【０１０６】
携帯電話機２と親機１０とは通信可能に接続されているため（Ｓ１０６にてＹＥＳ）、制御部２１２は、親機１０から子機２１〜２３の登録情報を取得する（Ｓ１０８）。制御部２１２は、取得した登録情報に基づいて図４に示すように、画面内に親機画像３０２、第１子機画像３０４、第２子機画像３０６および第３子機画像３０８を４辺の各々の中央部に隣接するように配置し、画面の中心部分にポインタ画像３００を配置するように表示部２０７に表示させる（Ｓ１１０）。
【０１０７】
図５に示すように、利用者が操作部２０８であるタッチパネルのポインタ画像３００に対応する領域を指で接触し、接触した位置から第１子機画像３０４の方向に予め定められた速度以上で指を移動させる操作を行なうことによって（Ｓ１１２にてＹＥＳ）、転送先が子機２１であることが特定される（Ｓ１１４）。このとき、第１子機画像３０４の文字列の背景色が変更される。
【０１０８】
転送先の子機２１が待機状態であるなど転送が可能である場合には（Ｓ１１６にてＹＥＳ）、子機２１に対して通話の転送処理が実行される（Ｓ１１８）。そのため、子機２１において着信音が発生させられる。そして、子機２１に対して応答操作が行なわれた場合には、子機２１は、親機１０、携帯電話機２、基地局９０およびネットワーク９２を経由して通話相手の通信装置と接続され、通話相手との通話が可能になる。予め定められた時間が経過するまでに転送処理が完了した場合には（Ｓ１２０にてＮＯ）、転送処理の完了が利用者に通知される（Ｓ１２２）。このとき、図６に示すように、ポインタ画像３００が消去されるとともに、第１子機画像３０４の文字列の背景色がさらに変更される。
【０１０９】
一方、転送先の子機２１が他の子機と通話中であるなどして転送が可能でない場合には（Ｓ１１６にてＮＯ）、通知処理が実行される（Ｓ１２４）。すなわち、子機２１の受話部からは通話相手の音声とともに転送要求がある旨を示す音が出力される。子機２１の利用者は、当該音により転送要求がある旨を認識できる。
【０１１０】
通知処理が実行されてから予め定められた時間が経過する前（Ｓ１２８にてＮＯ）に、子機２１の他の子機との通話が完了するなどして転送が可能になる場合には（Ｓ１２６にてＹＥＳ）、転送処理が実行される（Ｓ１１８）。
【０１１１】
一方、通知処理が実行されてから予め定められた時間が経過した場合（Ｓ１２８にてＹＥＳ）や、あるいは、転送処理が実行されてから予め定められた時間が経過した場合（Ｓ１２０にてＹＥＳ）は、図７に示すように、第１子機画像３０４側に移動していたポインタ画像３００が画面の中央部分の初期位置に移動することにより、図４と同じ状態となる（Ｓ１１０）。
【０１１２】
＜通話終了後の転送処理について＞
次に、図８を参照して、本実施の形態に係る携帯電話機２の制御部２１２で実行される、着信応答による通話終了後に固定電話機３に通話相手の電話番号を転送するプログラムの制御構造について説明する。
【０１１３】
Ｓ２００にて、制御部２１２は、着信応答による通話が終了したか否かを判定する。具体的には、制御部２１２は、たとえば、利用者が通話相手の通信装置からの接続要求に対して応答操作が行なわれた場合にオン状態にされる応答通話フラグがオン状態からオフ状態に変化した場合に着信応答による通話が終了したと判定する。着信応答による通話が終了したと判定された場合（Ｓ２００にてＹＥＳ）、処理はＳ２０２に移される。もしそうでない場合（Ｓ２００にてＮＯ）、処理はＳ２００に戻される。
【０１１４】
Ｓ２０２にて、制御部２１２は、親機１０と通信可能な状態であるか否かを判定する。制御部２１２は、たとえば、親機１０との間で通信の可否を判定するための所定の情報を授受する場合に親機と通信可能な状態であると判定する。親機１０と通信可能な状態であると判定された場合（Ｓ２０２にてＹＥＳ）、処理はＳ２０４に移される。もしそうでない場合（Ｓ２０２にてＮＯ）、処理はＳ２０６に移される。
【０１１５】
Ｓ２０４にて、制御部２１２は、親機１０から子機２１〜２３についての登録情報を取得する。登録情報は、上述したとおりであるため、その詳細な説明は繰り返さない。
【０１１６】
Ｓ２０６にて、制御部２１２は、転送処理がタイムアウトの状態であるか否かを判定する。制御部２１２は、通話が終了したと判定されてから予め定められた時間が経過するまでに親機１０と通信可能な状態にならない場合には、転送処理がタイムアウトの状態であると判定する。転送処理がタイムアウトの状態であると判定された場合（Ｓ２０６にてＹＥＳ）、この処理は終了する。もしそうでない場合には（Ｓ２０６にてＮＯ）、処理はＳ２０２に戻される。
【０１１７】
Ｓ２０８にて、制御部２１２は、表示部２０７に固定電話機３の画像を表示する。固定電話機の３の画像は、矩形形状の画面の４辺のうちのいずれか１つの辺に隣接するように配置される。
【０１１８】
具体的には、制御部２１２は、図９に示すように、矩形形状の画面内に親機画像３０２と、第１子機画像３０４と、第２子機画像３０６と、第３子機画像３０８と、ポインタ画像３１０とを表示する。親機画像３０２、第１子機画像３０４、第２子機画像３０６および第３子機画像３０８については、図４を用いて説明したものと同じであるため、その詳細説明は繰り返さない。
【０１１９】
ポインタ画像３１０は、通話相手の通信装置から接続が要求される場合に取得される通話相手の電話番号の文字列を含む。ポインタ画像３１０は、画面の中心部分に配置される。
【０１２０】
Ｓ２１０にて、制御部２１２は、ポインタ画像３１０に対してフリック操作が行なわれたか否かを判定する。フリック操作の内容およびフリック操作が行なわれたか否かの判定方法については、上述したとおりであるため、その詳細な説明は繰り返さない。
【０１２１】
ポインタ画像３１０に対してフリック操作が行なわれたと判定された場合（Ｓ２１０にてＹＥＳ）、処理はＳ２１２に移される。もしそうでない場合（Ｓ２１０にてＮＯ）、処理はＳ２１０に戻される。
【０１２２】
Ｓ２１２にて、制御部２１２は、通話相手の電話番号の転送先を特定する。転送先の特定方法および転送先の特定時の制御部２１２の動作は、Ｓ１１４の処理において説明したとおりであるため、その詳細な説明は繰り返さない。
【０１２３】
Ｓ２１４にて、制御部２１２は、転送処理を実行する。具体的には、制御部２１２は、転送先として特定された電話機の情報と、直前に通話していた通話相手の電話番号を示す情報とを親機１０に対して送信する。
【０１２４】
親機１０は、転送先として特定された電話機が親機１０である場合には、親機１０のメモリに記憶される電話帳に受信した通話相手の電話番号を追加する。親機１０は、転送先として特定された電話機が子機２１〜２３のいずれの子機である場合には、転送子機に対して携帯電話機２から受信した通話相手の電話番号を送信する。転送子機は、受信した通話相手の電話番号を転送子機のメモリに記憶される電話帳に追加する。転送子機は、電話帳への追加を自動的に実行してもよい。あるいは、転送子機は、利用者に対して電話帳への追加の許否を問い合わせる旨の通知し、利用者の追加を許可する許可操作（たとえば、ＯＫボタンをタッチする等）に応じて電話帳への追加を実行してもよい。
【０１２５】
Ｓ２１６にて、制御部２１２は、転送処理がタイムアウトの状態であるか否かを判定する。具体的には、制御部２１２は、転送処理が開始されてから予め定められた時間が経過するまでに転送処理が完了しない場合に転送処理がタイムアウトの状態であると判定する。転送処理がタイムアウトの状態であると判定された場合（Ｓ２１６にてＹＥＳ）、処理はＳ２０８に戻される。もしそうでない場合（Ｓ２１６にてＮＯ）、処理はＳ２１８に移される。
【０１２６】
Ｓ２１８にて、制御部２１２は、転送処理の完了を利用者に通知する。具体的には、制御部２１２は、たとえば、表示部２０７の画面内のポインタ画像３１０を消去するとともに、転送先の電話機を示す画像の実線枠内の文字の背景色を他の画像における背景色や転送先が特定されたときに変更される背景色と異なる色に変更する。あるいは、制御部２１２は、転送先の電話機を示す画像の文字の背景色が他の画像の背景色や転送先が特定されたときに変更される背景色と異なる画像に変更してもよい。
【０１２７】
なお、制御部２１２は、たとえば、上記動作に代えてまたは加えて転送処理が完了した旨を表示したり、あるいは、スピーカ２０５から音声出力したりすることによって利用者に転送処理の完了を通知してもよい。あるいは、制御部２１２は、背景色を変更することに代えてまたは加えて文字の色を変更したり、あるいは、点滅表示にする等表示形態を変更したりすることによって転送処理の完了を利用者に通知してもよい。
【０１２８】
以上のような構造およびフローチャートに基づく本実施の形態に係る携帯電話機２の着信応答による通話終了後に通話相手の電話番号を固定電話機３に転送する動作について説明する。
【０１２９】
利用者が携帯電話機２への着信応答によりネットワーク９２を経由して通話相手との通話を行なっている場合を想定する。
【０１３０】
利用者が通話の終了操作を行なうことによって通話が終了した場合において（Ｓ２００にてＹＥＳ）、携帯電話機２と親機１０とは通信可能に接続されており、かつ、親機１０と子機２１〜２３とは通信可能に接続されているときには（Ｓ２０２にてＹＥＳ）、制御部２１２は、親機１０から子機２１〜２３の登録情報を取得する（Ｓ２０４）。
【０１３１】
制御部２１２は、取得した登録情報に基づいて図９に示すように、画面に親機画像３０２、第１子機画像３０４、第２子機画像３０６および第３子機画像３０８を４辺の各々の中央部に隣接するように配置し、画面の中心部分にポインタ画像３１０を配置するように表示部２０７に表示させる（Ｓ２０８）。
【０１３２】
利用者が操作部２０８であるタッチパネルのポインタ画像３１０に対応する領域を指で接触し、接触した位置から第１子機画像３０４の方向に予め定められた速度以上で指を移動させる操作を行なうことによって（Ｓ２１０にてＹＥＳ）、転送先が子機２１であることが特定される（Ｓ２１２）。このとき、第１子機画像３０４の文字列の背景色が変更される。
【０１３３】
そのため、転送先として特定された子機２１に対して通話相手の電話番号の転送処理が実行される（Ｓ２１４）。携帯電話機２から子機２１に転送された電話番号は、子機２１のメモリに記憶される。転送処理が開始されてから予め定められた時間が経過するまでに転送処理が完了した場合には（Ｓ２１５にてＮＯ）、転送処理の完了が携帯電話機２の利用者に通知される（Ｓ２１８）。このとき、ポインタ画像３１０が消去されるとともに、第１子機画像３０４の文字列の背景色がさらに変更される。
【０１３４】
一方、転送処理が実行されてから予め定められた時間が経過するまでに転送処理が完了しない場合（Ｓ２１６にてＹＥＳ）、第１子機画像３０４側に移動していたポインタ画像３１０が画面の中央部分の初期位置に移動することにより、図９と同じ状態となる（Ｓ２０８）。
【０１３５】
以上のようにして、本実施の形態に係る携帯電話機２によると、親機画像３０２、第１子機画像３０４、第２子機画像３０６および第３子機画像３０８のうちのいずれか一方の選択画像の方向にポインタ画像３００を移動させるという操作により選択画像に対応する電話機に対して通話中であれば通話が転送され、着信応答による通話終了後であれば通話相手の電話番号が転送される。これにより、利用者にとって直感的な操作により希望する転送先を選択することができる。したがって、複数の転送先から利用者が希望する転送先を容易に選択できる携帯電話機、携帯電話機の制御方法、携帯電話機の制御プログラムおよびその制御プログラムを記録した記録媒体を提供することができる。
【０１３６】
また、本実施の形態においては、通話終了後に固定電話機３に通話相手の電話番号のみを転送するものとして説明したが、たとえば、通話相手の電話番号に加えて、通話相手に対応づけられた画像（たとえば、通話相手の写真）、通話相手の名前、通話した日付あるいは着信履歴を転送してもよい。
【０１３７】
本実施の形態においては、親機１０および子機２１〜２３のうちのいずれか一つを転送先として選択した後にさらに転送先を選択できるようにしてもよい。
【０１３８】
たとえば、通話の転送処理が完了した場合に、画面が図４に示される状態に戻るようにしてもよい。あるいは、通話相手の電話番号の転送処理が完了した場合に画面が図９に示される状態に戻るようにしてもよい。
【０１３９】
なお、制御部２１２は、画面に表示される終了ボタンが選択された場合に、図４あるいは図９で示されるようなポインタ画像３００，３１０、親機画像３０２、第１子機画像３０４、第２子機画像３０６および第３子機画像３０８の表示を終了してもよい。
【０１４０】
あるいは、たとえば、画面が図６に示される状態となり、子機２１への転送処理が完了した旨の通知を受けた場合に、転送先である子機２１を示す第１子機画像３０４を、さらに別の電話機の画像の方向に移動させる操作（たとえば、フリック操作あるいはドラッグ操作）を操作部２０８が受け付けた場合に、当該別の電話機に通話や通話相手の電話番号を転送してもよい。
【０１４１】
さらに、本実施の形態においては、転送先が特定された後に特定された転送先への転送が可能であるか否かを判定するとして説明したが、たとえば、図４あるいは図９で示される画面が表示される場合において、転送先として選択できない子機あるいは親機の表示形態を変更してもよいし、あるいは、転送先として選択できない子機あるいは親機を表示しないようにしてもよい。表示形態とは、たとえば、文字の色、枠線の色、実線枠内の文字の背景色あるいは背景模様をいうものとする。たとえば、転送先として選択できない子機また親機を示す画像を点滅表示させてもよい。
【０１４２】
さらに、たとえば、画面が図４で示される状態である場合に、利用者の耳が携帯電話機２に近づけられた場合には、保留状態を解消して、携帯電話機２と通話相手との通話状態を復帰させてもよい。
【０１４３】
さらに、本実施の形態において利用者の耳から携帯電話機２が離れた場合に、利用者が転送先の選択を要求していると判定して、画面を図４に示される状態にするとして説明したが、たとえば、制御部２１２は、通話中に転送先の選択を要求するための操作を受け付けた場合に、画面を図４に示される状態にしてもよい。転送先の選択を要求するための操作とは、たとえば、通話中に携帯電話機２に設けられる特定のボタンを押す操作、あるいは、画面に表示される転送先の選択を要求するための画像（たとえば、ボタン形状の画像）に対応するタッチパネル上の領域をペンまたは指で接触する操作をいう。
【０１４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４５】
１  通信システム、２  携帯電話機、３  固定電話機、１０  親機、２１〜２３  子機、２１ａ〜２３ａ  充電器、９０  基地局、９２  ネットワーク、２０１  第１無線部、２０２  第１アンテナ、２０３  受話部、２０４  送話部、２０５  スピーカ、２０６  音声処理部、２０７  表示部、２０８  操作部、２０９  第２アンテナ、２１０  第２無線部、２１１  バイブレータ、２１２  制御部、２１４  記憶部、２１６  距離センサ、３００，３１０  ポインタ画像、３０２  親機画像、３０４  第１子機画像、３０６  第２子機画像、３０８  第３子機画像。
【図１】
2014023024.tif 000003
【図２】
2014023024.tif 000004
【図３】
2014023024.tif 000005
【図４】
2014023024.tif 000006
【図５】
2014023024.tif 000007
【図６】
2014023024.tif 000008
【図７】
2014023024.tif 000009
【図８】
2014023024.tif 000010
【図９】
2014023024.tif 000011